(57)【要約】【課題】デジタルカメラにおいてバッテリの有効活用を図り、１枚でも多くの画像撮影を行うことを可能にすること。【解決手段】ユーザが被写体のリアルタイム画像を視認しつつ撮影操作を行う場合には、ＥＶＦ２２又はＬＣＤ２３でのライブビュー表示のフレームレートは基準フレームレートに設定される。これに対し、ユーザが被写体のリアルタイム画像を視認しつつ撮影操作を行うものでない場合には、ＥＶＦ２２又はＬＣＤ２３でのライブビュー表示のフレームレートは基準フレームレートよりも低いフレームレートに設定される。また、バッテリ検知回路６３の検知結果に応じてフレームレートを低下させたり、ＣＣＤ４１の露光時間に応じてフレームレートを低下させる。フレームレートを低下させることにより、デジタルカメラにおける内部処理の負担が軽減され、単位時間あたりの電力消費量が低減される。【選択図】　　　　図４
2004015595.tif 000002
【特許請求の範囲】
【請求項１】
バッテリから供給される電力を利用して、被写体の撮影動作及び表示装置に対する画像表示動作を行うように構成されたデジタルカメラであって、
前記表示装置における表示画像の更新間隔を、第１の更新間隔と、前記第１の更新間隔よりも長い間隔である第２の更新間隔との間で変更する画像更新間隔変更手段と、
前記第１の更新間隔が設定された場合には、前記バッテリから供給される供給電圧が第１の閾値よりも低下したときに前記撮影動作及び前記画像表示動作に必要な電圧が供給されないと判断し、前記第２の更新間隔が設定された場合には、前記バッテリから供給される供給電圧が前記第１の閾値より小さな第２の閾値よりも低下したときに前記撮影動作及び前記画像表示動作に必要な電圧が供給されないと判断する判断手段と、
を備えるデジタルカメラ。
【請求項２】
バッテリから供給される電力を利用して、被写体の撮影動作及び表示装置に対する画像表示動作を行うように構成されたデジタルカメラであって、
前記デジタルカメラの動作状態を判定する判定手段と、
前記デジタルカメラの動作状態が、ユーザが前記表示装置に表示される被写体のリアルタイム画像を視認しつつ被写体の撮影操作を行うための動作状態でない場合には、ユーザが前記表示装置に表示される被写体のリアルタイム画像を視認しつつ被写体の撮影操作を行うための動作状態である場合と比較して、前記表示装置における表示画像の更新間隔を長く設定する画像更新間隔変更手段と、
を備えるデジタルカメラ。
【請求項３】
バッテリから供給される電力を利用して、被写体の撮影動作及び表示装置に対する画像表示動作を行うように構成されたデジタルカメラであって、
省電力モード移行条件が満たされたか否かを判定する判定手段と、
前記省電力モード移行条件が満たされた場合、前記表示装置における表示画像の更新間隔を、前記省電力モードへの移行前の更新間隔よりも長く設定する画像更新間隔変更手段と、
を備えるデジタルカメラ。
【請求項４】
請求項１乃至３のいずれかに記載のデジタルカメラにおいて、
前記画像更新間隔変更手段は、前記表示装置のフレームレートを変更することによって、前記表示装置における表示画像の更新間隔を変更することを特徴とするデジタルカメラ。
【請求項５】
撮影待機状態において、バッテリから供給される電力を利用して、表示装置に被写体のリアルタイム画像を表示するように構成されたデジタルカメラであって、
前記撮影待機状態において露光動作を繰り返すことによって、前記表示装置に表示すべき前記リアルタイム画像を取得する撮像手段と、
前記撮像手段における前記露光動作を規定するための露光時間を設定する露光時間設定手段と、
前記露光時間設定手段によって設定される前記露光時間が所定時間よりも長くなる場合には、前記露光時間が前記所定時間よりも短い場合に比べて、前記表示装置のフレームレートを低下させるフレームレート変更手段と、
を備えるデジタルカメラ。
【発明の詳細な説明】
【０００１】
【発明の属する技術分野】
本発明は、表示装置に対して画像を表示させることの可能なデジタルカメラに関する。
【０００２】
【従来の技術】
近年のデジタルカメラにおいては、取得される画像データの画素数が増大しており、これに伴ってデジタルカメラで処理すべきデータ量も増加している。このようなデータ量の増加は、データ転送やデータ処理の際に、内部動作において消費される電力量を増加させる一つの要因となっている。
【０００３】
一般にデジタルカメラにおける内部処理は、デジタルカメラに搭載されるバッテリの電力を利用して行われるように構成されており、デジタルカメラの電力消費量が増加すると、デジタルカメラにおける撮影可能枚数が減少することになる。
【０００４】
そのため、デジタルカメラに搭載されるバッテリの有効活用を図り、デジタルカメラにおける撮影可能枚数を増加させるためには、内部動作における消費電力量を低減することが望まれる。
【０００５】
例えば、特開２００１−２３８１０６公報には、デジタルカメラにおいてライブビュー用の画像データを生成する間隔を通常の１／３に間引きする技術が開示されている。
【０００６】
【発明が解決しようとする課題】
しかしながら上記公報記載のデジタルカメラでは、ライブビュー表示を行うディスプレイのフレームレートは固定されている。このため、生成されて内部メモリに格納された画像データを、常に一定のフレームレートで読み出さなければならず、内部バスを介するデータ転送量は大幅には低下しない。
【０００７】
したがって、上記公報に開示される技術を適用しても、デジタルカメラの内部処理全体として消費される電力量を低減させることは依然として困難な状況にある。
【０００８】
そこで、本発明は、上記課題に鑑みてなされたものであって、バッテリの有効活用を図り、１枚でも多くの画像撮影を行うことの可能なデジタルカメラを提供することを目的とする。
【０００９】
【課題を解決するための手段】
上記目的を達成するために、請求項１に記載の発明は、バッテリから供給される電力を利用して、被写体の撮影動作及び表示装置に対する画像表示動作を行うように構成されたデジタルカメラであって、前記表示装置における表示画像の更新間隔を、第１の更新間隔と、前記第１の更新間隔よりも長い間隔である第２の更新間隔との間で変更する画像更新間隔変更手段と、前記第１の更新間隔が設定された場合には、前記バッテリから供給される供給電圧が第１の閾値よりも低下したときに前記撮影動作及び前記画像表示動作に必要な電圧が供給されないと判断し、前記第２の更新間隔が設定された場合には、前記バッテリから供給される供給電圧が前記第１の閾値より小さな第２の閾値よりも低下したときに前記撮影動作及び前記画像表示動作に必要な電圧が供給されないと判断する判断手段と、を備えて構成される。
【００１０】
請求項２に記載の発明は、バッテリから供給される電力を利用して、被写体の撮影動作及び表示装置に対する画像表示動作を行うように構成されたデジタルカメラであって、前記デジタルカメラの動作状態を判定する判定手段と、前記デジタルカメラの動作状態が、ユーザが前記表示装置に表示される被写体のリアルタイム画像を視認しつつ被写体の撮影操作を行うための動作状態でない場合には、ユーザが前記表示装置に表示される被写体のリアルタイム画像を視認しつつ被写体の撮影操作を行うための動作状態である場合と比較して、前記表示装置における表示画像の更新間隔を長く設定する画像更新間隔変更手段と、を備えて構成される。
【００１１】
請求項３に記載の発明は、バッテリから供給される電力を利用して、被写体の撮影動作及び表示装置に対する画像表示動作を行うように構成されたデジタルカメラであって、省電力モード移行条件が満たされたか否かを判定する判定手段と、前記省電力モード移行条件が満たされた場合、前記表示装置における表示画像の更新間隔を、前記省電力モードへの移行前の更新間隔よりも長く設定する画像更新間隔変更手段と、を備えて構成される。
【００１２】
請求項４に記載の発明は、請求項１乃至３のいずれかに記載のデジタルカメラにおいて、前記画像更新間隔変更手段は、前記表示装置のフレームレートを変更することによって、前記表示装置における表示画像の更新間隔を変更することを特徴としている。
【００１３】
請求項５に記載の発明は、撮影待機状態において、バッテリから供給される電力を利用して、表示装置に被写体のリアルタイム画像を表示するように構成されたデジタルカメラであって、前記撮影待機状態において露光動作を繰り返すことによって、前記表示装置に表示すべき前記リアルタイム画像を取得する撮像手段と、前記撮像手段における前記露光動作を規定するための露光時間を設定する露光時間設定手段と、前記露光時間設定手段によって設定される前記露光時間が所定時間よりも長くなる場合には、前記露光時間が前記所定時間よりも短い場合に比べて、前記表示装置のフレームレートを低下させるフレームレート変更手段と、を備えて構成される。
【００１４】
【発明の実施の形態】
以下、本発明の実施の形態について図面を参照しつつ詳細に説明する。
【００１５】
＜１．デジタルカメラの外観構成＞
図１乃至図３は、本発明の実施の形態に係るデジタルカメラ１の要部構成を示す図であり、図１乃至図３はそれぞれ正面図、上面図及び背面図に相当する。図１及び図２に示すように、デジタルカメラ１は主としてカメラ本体部２と撮影レンズ３とから構成されている。
【００１６】
撮影レンズ３は複数のレンズ群を含むズームレンズとして構成され、その周縁部に設けられるズームリング３１を回転させることにより撮影倍率（焦点距離）を変更することが可能とされている。撮影レンズ３にはマクロ切り替えレバー３２が設けられており、マクロ切り替えレバー３２をスライドさせることによりマクロ撮影が可能となる。
【００１７】
図１に示すように、カメラ本体部２の前面には、左端部にグリップ部４、右方上部に内蔵フラッシュ５がそれぞれ設けられ、また、図２に示すように、グリップ部４の上面にはシャッタボタン１１が設けられている。シャッタボタン１１は銀塩カメラで採用されているような半押し状態（Ｓ１状態）と全押し状態（Ｓ２状態）とが検出可能な２段階スイッチとなっている。
【００１８】
図２に示すように、カメラ本体部２の上面右方には、電源のオン／オフを切り替えるとともに、「撮影モード」、「再生モード」、「通信モード」及び「セットアップモード」の間で動作モードを切り替えるダイヤル式のメインスイッチ１５が設けられている。
【００１９】
撮影モードは、被写体の撮影を行い画像データ（以下、適宜「画像」ともいう。）を取得しメモリカード９に記録する動作モードである。再生モードは、メモリカード９に記録された画像データを読み出して再生表示する動作モードである。また、通信モードは、カメラ本体部２背面に設けられるＵＳＢ端子２７を介して外部のコンピュータに画像データを転送する等の通信を行う動作モードである。さらに、セットアップモードは、デジタルカメラ１の各種設定状態（例えば、後述するＥＶＦ２２やＬＣＤ２３等の明るさ設定等）をユーザが希望する設定状態に変更操作するための動作モードである。
【００２０】
メインスイッチ１５の左方には、例えばデジタルカメラ１の撮影動作時に適用される各種の設定情報を表示するデータパネル２１が設けられており、ユーザが撮影操作を行う際に、それらの設定情報を容易かつ迅速に把握することができるようにされている。
【００２１】
また、デジタルカメラ１の側面上方には、取得される画像データの「露出モード」、「画像圧縮率」、「ホワイトバランス」及び「ドライブモード」等の項目を設定するためのファンクションダイヤル１６及びファンクションボタン１６ａが設けられている。ファンクションダイヤル１６によって設定を行う項目にセットした後、ファンクションボタン１６ａを押下しつつ、グリップ部４上部の選択ダイヤル１２を回転させることにより、セットされた項目の設定内容を順次変更することができる。このようにして変更される設定内容は、上記のデータパネル２１に反映される。なお、「ドライブモード」の項目では、撮影モード時において、シャッタボタン１１が全押し操作された時に記録用の撮影動作を開始する「通常撮影」と、シャッタボタン１１の全押し操作から数秒経過した時点で記録用の撮影動作を行う「セルフタイマ撮影」と、リモートコントローラから遠隔操作で、シャッタボタン１１の全押しと同様の撮影指示を行う「リモート撮影」との間で設定内容を切り替えることができる。
【００２２】
図３に示すように、カメラ本体部２の背面左方には、被写体の画像データのライブビュー表示、記録された画像データの再生表示、及び、セットアップモード時の案内画面表示等を行うための表示装置として、電子ビューファインダ（ＥＶＦ）２２及び液晶ディスプレイ（ＬＣＤ）２３が設けられている。ＥＶＦ２２及びＬＣＤ２３には、Ｒ（赤），Ｇ（緑），Ｂ（青）の各色を順次に高速表示する面順次表示方式の液晶が採用されている。また、ＥＶＦ２２及びＬＣＤ２３は、そのフレームレートを変更することが可能であり、フレームレートは必要に応じて変更される。
【００２３】
ＥＶＦ２２の表示とＬＣＤ２３の表示とは、ＥＶＦ２２の右方にあるディスプレイ切り替えレバー１７の操作により切り替えを行うことができるようにされている。また、ディスプレイ切り替えレバー１７の中央部分は情報表示切り替えボタン１７ａとなっており、ＬＣＤ２３又はＥＶＦ２２に画像データが表示されているときに、設定情報等を同時に表示するか否かを切り替えることができるようになっている。
【００２４】
また、ＬＣＤ２３の右方にはメニューボタン１８及び十字キー１９が設けられている。十字キー１９は上スイッチ１９Ｕ、下スイッチ１９Ｄ、左スイッチ１９Ｌ及び右スイッチ１９Ｒからなる４連スイッチ、並びに、中央ボタン１９Ｃから構成される。メニューボタン１８を押下するとＬＣＤ２３に設定メニューが表示され、設定メニューを参照しつつ、十字キー１９を操作することによって、デジタルカメラ１の基本的な設定を行うことができる。
【００２５】
十字キー１９の下部には、クイックビュー／消去ボタン２０が設けられている。クイックビュー／消去ボタン２０は、撮影モードにおいては直前に撮影した画像データの簡易再生表示を行うクイックビューボタンとして機能し、再生モードにおいては再生している画像データをメモリカード９から消去する消去ボタンとして機能する。
【００２６】
カメラ本体部２の下部には電池室２４が設けられている。電池室２４は、電池室解放レバー２４ａでその蓋が解放され、例えば４本の単三形乾電池等のバッテリが装填される。ユーザがデジタルカメラ１を携行する時は、電池室２４に装填されるバッテリが通常の駆動源となり、各部に電力供給が行われる。このため、電池室２４に装填されるバッテリの電力容量が、デジタルカメラ１を携行した時の動作可能時間又は撮影可能枚数を規定する一つの要因となる。
【００２７】
なお、電池室２４の右方に設けられる電源入力端子２５を介して供給される外部からの直流電源を駆動源とすることも可能とされている。
【００２８】
電源入力端子２５の右方には、ビデオ出力端子２６が設けられており、外部の表示装置（外部モニタ）に対してビデオ信号を転送して画像を表示させることができるようにされている。
【００２９】
また、カメラ本体部２の内部にはカードスロット２９が設けられ、カメラ本体部２の側面から画像データ等を記録するメモリカード９を挿入して装着できる。カードスロット２９の挿入口近傍には、メモリカード９へのアクセス中である旨を表示するためのアクセスランプ２８が配置される。
【００３０】
＜２．デジタルカメラの内部構成＞
図４は、デジタルカメラ１の主たる内部構成を示すブロック図である。
【００３１】
ＣＣＤ４１は、例えば横２５６０×縦１９２０の画素からなる撮像素子であり、撮影レンズ３により結像された被写体の光像を画像信号（各画素で受光された画素信号の信号列からなる信号）に光電変換して出力する。ＣＣＤ４１の撮像面はベイヤー配列で各色成分に対応づけられた画素配列となっており、各画素はベイヤー配列に対応するＲ（赤），Ｇ（緑），Ｂ（青）のうちの各１色についての輝度成分を検出するように構成されている。
【００３２】
ＣＣＤ４１は、画像信号の出力モードとして、横２５６０×縦１９２０の全画素を有する画像データを出力するフレームモードと、縦の画素を１／８に間引いた横２５６０×縦２４０の画素を有する解像度の低い画像データを出力するドラフトモードとを有している。
【００３３】
例えば、デジタルカメラの動作状態が、撮影モードに設定されており、シャッタボタン１１が全押し状態とされる前の撮影待機状態であるには、ユーザがＥＶＦ２２又はＬＣＤ２３に表示されるライブビュー画像を視認しながらフレーミング等の撮影操作を行うことができるようにするために、ライブビュー用の簡易的な画像データの取得が行われる。そしてこの場合には、ライブビュー用の画像を取得する際の処理の高速化のため、ＣＣＤ４１はドラフトモードに設定され、ライブビュー用に設定される露光時間で連続的に画像データの取得動作が繰り返される。
【００３４】
これに対し、シャッタボタン１１が全押し操作され、撮影指示が与えられた後においては、記録用の高精細な画像データを取得することが望まれるため、ＣＣＤ４１はフレームモードに設定される。
【００３５】
信号処理回路４２は、ＣＣＤ４１から出力される画像信号（アナログ信号）に所定の信号処理を施すものである。信号処理回路４２は、ＣＤＳ（相関二重サンプリング）回路、ＡＧＣ（オートゲインコントロール）回路、Ａ／Ｄ変換器等をその内部に有し、ＣＤＳ回路により画像信号のノイズの低減を行い、ＡＧＣ回路のゲインを調整することにより画像信号のレベル調整を行う。さらに、Ａ／Ｄ変換器により、各画素ごとのアナログ信号を例えば１２ビットのデジタル信号に変換する。
【００３６】
なお、信号処理回路４２から出力される画像データは、各画素値がベイヤー配列に対応するＲＧＢのうちいずれかの色成分のみを有するベイヤー形式となる。この画像データは、デジタルカメラ１の内部のバスライン４５を介して転送され全体制御部５０に入力される。
【００３７】
タイミングジェネレータ４３は、全体制御部５０から入力される信号に基づき、ＣＣＤ４１及び信号処理回路４２への駆動制御信号を生成し出力するものである。例えば、ＣＣＤ４１の露光時間を規定する、露光動作の開始及び停止を指示するタイミング信号や、画像信号の出力制御信号（ドラフトモードやフレームモードへの出力モードの変更信号を含む）等の信号を生成し、ＣＣＤ４１及び信号処理回路４２へ出力する。
【００３８】
デジタルカメラ１がライブビュー用の画像データを取得する際には、その取得レートが例えば３０ｆｐｓ（ｆｒａｍｅｓ　ｐｅｒ　ｓｅｃｏｎｄ）となるように（１／３０秒ごとに画像データを取得するように）、ＣＣＤ４１等に対して駆動制御信号を送出する。
【００３９】
レンズ駆動部３３は、全体制御部５０から入力される信号に基づいて、撮影レンズ３に含まれるレンズ群、及び、入射光量を調節する絞り等の駆動を行う。
【００４０】
操作部材１０は、上述したシャッタボタン１１、ファンクションダイヤル１６、メニューボタン１８、十字キー１９等を含むものであり、ユーザが直接操作入力を行うための操作部材である。また操作部材１０にはリモート撮影時に使用されるリモートコントローラも含まれる。操作部材１０の操作内容は、信号として全体制御部５０に入力される。また、操作部材１０によって設定された情報は、全体制御部５０内のＲＡＭ５３等に記憶される。
【００４１】
全体制御部５０は、デジタルカメラ１の装置全体を統括制御するものであり、マイクロコンピュータを備えて構成されている。具体的には、その本体部であるＣＰＵ５１、制御プログラム等を記憶するＲＯＭ５２、作業領域となるＲＡＭ５３を備えており、それぞれをバスライン４５によって接続した構成となっている。さらに、全体制御部５０は、バスコントローラ５４、画像処理部５５、ビデオコントローラ５６、圧縮部５７、メモリカードコントローラ５８及びシリアルインターフェース（Ｉ／Ｆ）５９を備えており、これらも同一のバスライン４５を介して接続される。
【００４２】
バスコントローラ５４は、各種画像データを格納する画像メモリ４４と接続されており、全体制御部５０の各処理部と画像メモリ４４との間のバスライン４５を介しての転送を制御するものである。バスコントローラ５４は、バスライン４５を介しての転送の要求が複数存在する場合は、それらを調停してそれぞれの要求を満たすアービトレーション機能を備えている。
【００４３】
また、バスコントローラ５４は、ＤＭＡコントローラとしての機能も有しており、全体制御部５０の処理部からの要求に応じて、要求を行った処理部と画像メモリ４４と間でＣＰＵ５１の処理を介さない直接的な画像データの転送（いわゆるＤＭＡ転送）を行う。
【００４４】
画像処理部５５は、ＣＣＤ４１で取得された画像データに対して各種の画像処理を行う専用のチップで構成される。図５は、画像処理部５５で実現される機能をそれぞれ機能ブロックとして示す図である。図に示すように、画像処理部５５の主たる機能は、データ補正部５５１、色補間変換部５５２及びライブビュー画像生成部５５３として表現される。
【００４５】
データ補正部５５１は、画像データに対して、黒レベル補正、ホワイトバランス補正及びγ補正等の各種補正処理を施す。ＣＰＵ５１により設定されるパラメータに基づいて、画像データごとに適切な補正処理が行われる。
【００４６】
色補間変換部５５２は、ベイヤー形式の画像データの各画素がＲＧＢ全ての色成分についてのデータを有するように画素補間処理を行う。さらに、ＲＧＢ値で表現された各画素値を、輝度成分と色差成分とからなるＹＣｒＣｂ値に変換する。これにより、色補間変換部５５２からはＹＣｒＣｂ形式の画像データが出力される。
【００４７】
ライブビュー画像生成部５５３は、ＥＶＦ２２又はＬＣＤ２３にライブビューとして表示するための画像データ（以下、「ライブビュー画像」ともいう。）を生成する。具体的には、ＥＶＦ２２あるいはＬＣＤ２３で表示可能な解像度に画像データの解像度を変換する。さらに、ＹＣｒＣｂ形式で表現される画像データを、ＹＹＣｒＣｂ形式（二つの輝度成分Ｙと、色差成分Ｃｒ・Ｃｂ）に変換する。これにより、隣接する二画素分の画素値がひとつのＹＹＣｒＣｂ値（４バイト）で表現されるため、一画素あたりのデータ量は２バイトとなる。
【００４８】
図４に戻り、ビデオコントローラ５６は、ディスプレイ切り替えレバー１７の設定に基づいて、表示すべき画像データをＥＶＦ２２あるいはＬＣＤ２３に出力するものである。ライブビュー画像を表示する際には、その画素値（ＹＹＣｒＣｂ形式）を、再度、ＲＧＢ値に変換した後、ＥＶＦ２２あるいはＬＣＤ２３に出力する。この際、ビデオコントローラ５６は、ＥＶＦ２２あるいはＬＣＤ２３のフレームレートを制御する。
【００４９】
図６は、ビデオコントローラ５６がＥＶＦ２２に画像データを出力する際に送信する信号の例を示す図である。図に示すように、ビデオコントローラ５６は、ＥＶＦ２２に対して、ベースクロックＢＣ、画像データ信号ＶＤ及びディスプレイクロックＤＣの３つの信号を送信する。
【００５０】
画像データ信号ＶＤは、送信する画像データの各画素値を示す１画素１色ごとの信号であり、ＥＶＦ２２が面順次表示方式であるため図に示すように、Ｒ（赤）の画像を示す信号ＲＳ、Ｇ（緑）の画像を示す信号ＧＳ、Ｂ（青）の画像を示す信号ＢＳが順次送信される。このようなＲＧＢのいずれかの画像のみを示す信号を３回送信することにより、１つのフレームが送信される。
【００５１】
ベースクロックＢＣは、画像データ信号ＶＤの各信号ごとの基本信号として送信される。また、ディスプレイクロックＤＣはフレームの開始を示す信号であり、１フレームごと、すなわち、Ｒの画像を示す画像データ信号ＶＤの送信開始時点に送信される。従って、ディスプレイクロックＤＣの周期ＴはＥＶＦ２２におけるフレームの更新周期（更新間隔）であり、周期Ｔの逆数はＥＶＦ２２のフレームレートとなる。
【００５２】
つまり、ビデオコントローラ５６は、このディスプレイクロックＤＣの周期Ｔを変更することによって、ＥＶＦ２２のフレームレートを変更する。またビデオコントローラ５６は、ＣＰＵ５１から指示されるフレームレートを設定するようにも構成される。なお、ＬＣＤ２３のフレームレートも同様にして変更される。
【００５３】
また、ビデオコントローラ５６は外部モニタ６１に対する画像信号の出力を行うようにも構成されており、外部モニタ６１に対して画像信号を出力する際には例えばＮＴＳＣやＰＡＬ等の方式に信号変換を行った後、ビデオ出力端子２６を介して画像信号を出力する。
【００５４】
図４に戻り、圧縮部５７は、記録用の画像データに対して、ファンクションダイヤル１６等により設定される「画像圧縮率」に基づいてＪＰＥＧ方式により圧縮処理を行う。また圧縮部５７は、圧縮されてメモリカード９に記録された画像データの伸張処理を行う。
【００５５】
メモリカードコントローラ５８は、デジタルカメラ１に装着されるメモリカード９とのデータの入出力を制御する。画像データを記録する際には、所定形式の名称を付して、画像ファイルとして記録する。
【００５６】
バッテリ６２は電池室２４に装填されるバッテリであり、全体制御部５０やその他上記各部に対して電力供給を行う。またバッテリ６２に蓄積された電力量、すなわち残り電力量を検知するためにバッテリ検知回路６３が設けられる。
【００５７】
バッテリ検知回路６３は例えばバッテリ６２の供給電圧（バッテリ電圧）を常に監視することによって、バッテリ６２に蓄積された電力量を検知する。またバッテリ検知回路６３はバッテリ６２の残り電力量に関する検知結果を全体制御部５０に対して出力するように構成される。そしてデジタルカメラ１は、バッテリ検知回路６３の検知により、バッテリ６２の残り電力量が低下した場合に、ユーザが撮影操作を行うことを禁止する等の、バッテリチェック機能を有している。
【００５８】
上述したタイミングジェネレータ４３、レンズ駆動部３３、操作部材１０及びバッテリ検知回路６３は、それぞれシリアルインターフェース５９を介して、バスライン４５に電気的に接続される。これにより、ＣＰＵ５１は、これらの部材に対して各種信号を送信して制御を行うとともに、これらの部材から出力される各種信号を受信することができる。
【００５９】
全体制御部５０の各処理部においてそれぞれ処理された画像データは、一旦画像メモリ４４に格納される。このため、画像メモリ４４には、処理が行われた画像データをそれぞれ格納する領域が確保される。
【００６０】
図７は、画像メモリ４４に確保される領域を模式的に示す図である。図に示すように画像メモリ４４には、ＣＣＤ４１から出力されるベイヤー形式の画像データを格納するＲＡＷ画像領域４４ａ、画像処理部５５の色補間変換部５５２から出力されるＹＣｒＹｂ形式の画像データを格納するＹＣｒＣｂ画像領域４４ｂ、画像処理部５５のライブビュー画像生成部５５３から出力されるＹＹＣｒＹｂ形式のライブビュー画像を格納するライブビュー画像領域４４ｃ、及び、圧縮部５７から出力されるＪＰＥＧ形式の画像データを格納する圧縮画像領域４４ｄがそれぞれ確保される。このような画像メモリ４４に確保される各領域の割り当ては固定的なものではなく、デジタルカメラ１の動作状態に応じて動的に設定される。
【００６１】
全体制御部５０によるデジタルカメラ１の統括的な各種制御は、ＲＯＭ５２に記憶される制御プログラムに従って、ＣＰＵ５１が演算動作を行うことにより行われる。このような制御プログラムによって実現される機能としては、デジタルカメラ１の上述した各部の動作制御の他、絞り値やシャッタスピード（ＣＣＤ４１の露光時間）等の露出条件を決定する露出制御、撮影レンズ３のレンズ群の合焦位置を決定するＡＦ制御、画像処理部５５における各種パラメータを決定する画像処理制御、被写体輝度の判定動作、バッテリ検知回路６３の出力値に基づいたバッテリチェック機能、ユーザによる操作入力が一定時間行われなかった場合に省電力モードへと移行させる機能（オートパワーオフ機能）等が含まれる。
【００６２】
なお、このような制御プログラムは、ＣＰＵ５１が記録媒体であるメモリカード（制御プログラムを記憶したもの）９から読み出して、新たにＲＯＭ５２に対して格納（インストール）することも可能とされている。
【００６３】
以上のようなデジタルカメラ１においては、ユーザがリアルタイムな被写体像を視認しつつ撮影操作を行う状態である場合には、ＥＶＦ２２又はＬＣＤ２３に対して被写体のリアルタイムな画像（すなわちライブビュー画像）を忠実に表示させるために、ＥＶＦ２２又はＬＣＤ２３のフレームレートは例えば最大限のフレームレートに設定される。なお、このときのフレームレートを「基準フレームレート」と呼ぶ。
【００６４】
これに対し、デジタルカメラ１において、ユーザがリアルタイムな被写体像を視認しつつ撮影操作を行う状態でない場合には、ＥＶＦ２２又はＬＣＤ２３に対して表示される画像のフレームレートを基準フレームレートより低下させても、ユーザがデジタルカメラ１を操作する上で特に問題となることはない。そこで、このような場合には、ＥＶＦ２２又はＬＣＤ２３のフレームレートを低下させ、それによって表示用の画像データのデータ転送量及びデータ処理量を低減させることで、バッテリ６２の有効活用を図り、バッテリ６２の延命効果をもたらすように構成される。
【００６５】
以下、デジタルカメラ１における内部動作について具体的に説明する。
【００６６】
＜３．撮影モード時における基本動作＞
まず、デジタルカメラ１において撮影モードが設定されている場合の基本動作について説明する。図８乃至図１１は、デジタルカメラ１の撮影モードにおける基本的な動作の流れを示すフローチャートである。なお、以下の説明においては、ディスプレイ切り替えレバー１７により、ＥＶＦ２２にライブビュー表示を行う設定になっているものとするが、ＬＣＤ２３の場合も同様である。
【００６７】
図８に示すように、デジタルカメラ１は撮影モードが設定されると、ＣＰＵ５１は、ドライブモードが、「通常撮影」、「セルフタイマ撮影」及び「リモート撮影」のいずれが設定されているかを判定し（ステップＳＴ１）、「通常撮影」が設定されている場合にはステップＳＴ２に進んで通常撮影を行うための処理シーケンスに移行する。これに対し、「セルフタイマ撮影」又は「リモート撮影」が設定されている場合には、それぞれステップＳＴ３，ＳＴ４に進み、それぞれの撮影動作を行うための処理シーケンスに移行する。なお、ステップＳＴ１の判定処理は、デジタルカメラ１の動作状態を判定することに相当する。
【００６８】
通常撮影を行う場合は、図９のフローチャートに移り、ＥＶＦ２２のフレームレートを基準フレームレートに設定し（ステップＳＴ２１）、ユーザがライブビュー表示を視認しつつフレーミング等の操作を行う際の操作性を向上させる。すなわち、ユーザが被写体のリアルタイムな画像を視認しつつ撮影操作を行う場合には、実際の被写体の動きがライブビュー表示に対して即時に反映されることが望まれるため、通常撮影の場合には、ＥＶＦ２２のフレームレートは比較的高い値に設定される。
【００６９】
そしてＣＣＤ４１がドラフトモードに設定された後（ステップＳＴ２２）、デジタルカメラ１は撮影待機状態となり、ユーザがＥＶＦ２２を介して被写体のリアルタイム画像を視認することができるように、ライブビュー動作が行われる（ステップＳＴ２３）。このライブビュー動作は、シャッタボタン１１が半押し状態（Ｓ１）とされるまで（ステップＳＴ２４においてＹＥＳと判断されるまで）繰り返される。
【００７０】
撮影待機状態において、シャッタボタン１１が半押し状態にされると（ステップＳＴ２４にてＹＥＳ）、ＣＰＵ５１により露出制御（ＡＥ）及び自動合焦制御（ＡＦ）が行われるとともに、画像処理部５５におけるパラメータが決定される（ステップＳＴ２５）。この状態で、シャッタボタン１１の操作が解除された場合は、再度、撮影待機状態に戻る（ステップＳＴ２６においてＮＯ）。
【００７１】
一方、シャッタボタン１１が全押し状態（Ｓ２）とされた場合（ステップＳＴ２６にてＹＥＳ）は、ＣＣＤ４１がフレームモードに設定され（ステップＳＴ２７）、続いて、記録用の画像データを取得するための撮影動作が行われる（ステップＳＴ２８）。
【００７２】
次に、セルフタイマ撮影を行う場合について説明する。セルフタイマ撮影を行う場合、ユーザはデジタルカメラ１を三脚等で固定し、動きの少ない被写体又はユーザ自身を撮影するものと考えられる。そのため、セルフタイマ撮影の場合、撮影直前にユーザがＥＶＦ２２を視認しつつフレーミング等の撮影操作を行う可能性は低いと考えられる。
【００７３】
そこで、図１０のフローチャートに示すように、デジタルカメラ１の撮影モードとして「セルフタイマ撮影」が設定されている場合、ＥＶＦ２２のフレームレートは基準フレームレートよりも低いフレームレートに設定される（ステップＳＴ３１）。このようにセルフタイマ撮影時には、ＥＶＦ２２のフレームレートを基準フレームレートよりも低下させることで、ＥＶＦ２２の表示画像を更新するための単位時間あたりのデータ転送量及びデータ処理量を低減することができる。それにより、単位時間あたりに消費されるバッテリ６２の電力量を低減することができる。
【００７４】
そしてＣＣＤ４１がドラフトモードに設定された後（ステップＳＴ３２）、デジタルカメラ１は撮影待機状態となり、ユーザがＥＶＦ２２を介して被写体のリアルタイム画像を視認することができるように、ライブビュー動作が行われる（ステップＳＴ３３）。このライブビュー動作は、シャッタボタン１１が半押し状態（Ｓ１）とされるまで（ステップＳＴ３４においてＹＥＳと判断されるまで）繰り返される。
【００７５】
撮影待機状態において、シャッタボタン１１が半押し状態にされると（ステップＳＴ３４にてＹＥＳ）、ＣＰＵ５１により露出制御（ＡＥ）及び自動合焦制御（ＡＦ）が行われるとともに、画像処理部５５におけるパラメータが決定される（ステップＳＴ３５）。この状態で、シャッタボタン１１の操作が解除された場合は、再度、撮影待機状態に戻る（ステップＳＴ３６においてＮＯ）。
【００７６】
一方、シャッタボタン１１が全押し状態（Ｓ２）とされた場合（ステップＳＴ３６にてＹＥＳ）、ＣＰＵ５１はセルフタイマとして設定された所定時間（数秒程度）が経過するまでタイマカウントを行う（ステップＳＴ３７）。そして所定時間が経過すると（ステップＳＴ３７にてＹＥＳ）、ＣＣＤ４１がフレームモードに設定され（ステップＳＴ３８）、続いて、記録用の画像データを取得するための撮影動作が行われる（ステップＳＴ３９）。
【００７７】
次に、リモート撮影を行う場合について説明する。リモート撮影を行う場合も、ユーザはデジタルカメラ１を三脚等で固定し、動きの少ない被写体又はユーザ自身を撮影するものと考えられる。そのため、リモート撮影の場合もセルフタイマ撮影の場合と同様に、撮影直前にユーザがＥＶＦ２２を視認しつつフレーミング等の撮影操作を行う可能性は低いと考えられる。
【００７８】
そこで、図１１のフローチャートに示すように、デジタルカメラ１の撮影モードとして「リモート撮影」が設定されている場合、ＥＶＦ２２のフレームレートは基準フレームレートよりも低いフレームレートに設定される（ステップＳＴ４１）。このようにリモート撮影時に、ＥＶＦ２２のフレームレートを基準フレームレートよりも低下させることで、ＥＶＦ２２の表示画像を更新するための単位時間あたりのデータ転送量及びデータ処理量を低減することができる。それにより、単位時間あたりに消費されるバッテリ６２の電力量を低減することができる。
【００７９】
そしてＣＣＤ４１がドラフトモードに設定された後（ステップＳＴ４２）、デジタルカメラ１は撮影待機状態となり、ユーザがＥＶＦ２２を介して被写体のリアルタイム画像を視認することができるように、ライブビュー動作が行われる（ステップＳＴ４３）。このライブビュー動作は、操作部材１０に含まれるリモートコントローラから撮影指示を受信するまで（ステップＳＴ４４においてＹＥＳと判断されるまで）繰り返される。
【００８０】
撮影待機状態において、リモートコントローラから撮影指示を受信すると（ステップＳＴ４４にてＹＥＳ）、ＣＰＵ５１により露出制御（ＡＥ）及び自動合焦制御（ＡＦ）が行われるとともに、画像処理部５５におけるパラメータが決定される（ステップＳＴ４５）。そしてＣＣＤ４１がフレームモードに設定され（ステップＳＴ４６）、続いて、記録用の画像データを取得するための撮影動作が行われる（ステップＳＴ４７）。
【００８１】
以上のように、撮影モードにおいて「通常撮影」が設定されている場合、ユーザはＥＶＦ２２に表示される被写体のリアルタイム画像（ライブビュー画像）を視認しつつ、フレーミング等の撮影操作を行うのが一般的であり、そのような場合には、フレーミング等の操作性を高めるためにＥＶＦ２２のフレームレートが高い値に設定される。この結果、ユーザは撮影待機状態においてＥＶＦ２２により被写体のリアルタイムな画像を確認することができ、フレーミング等の撮影操作を適切に行うことができる。
【００８２】
これに対し、撮影モードにおいて「セルフタイマ撮影」や「リモート撮影」が設定されている場合、ユーザがＥＶＦ２２を撮影直前に視認する可能性は少ない。したがって、それらの場合には、被写体の動きを忠実にＥＶＦ２２の表示画像に反映させることよりも、ＥＶＦ２２にライブビュー表示を行うことによる電力消費量を低減することを優先し、ＥＶＦ２２のフレームレートが「通常撮影」の場合よりも低いフレームレートに設定される。この結果、ＥＶＦ２２に対してライブビュー表示を行うための、データ転送量及びデータ処理量を低減することができ、「セルフタイマ撮影」や「リモート撮影」が設定されている場合には、「通常撮影」が設定されている場合に比べて、単位時間あたりの電力消費量を低減することが可能になる。
【００８３】
以下、「通常撮影」におけるライブビュー動作（ステップＳＴ２３）、及び、「セルフタイマ撮影」や「リモート撮影」におけるライブビュー動作（ステップＳＴ３３，ＳＴ４３）での画像データに対する処理内容の相違について説明する。
【００８４】
図１２は、「通常撮影」のライブビュー動作（ステップＳＴ２３）における画像データの処理内容を説明するための図である。図１２において矢印は、処理される画像データが転送される流れを示し、特に太線で示す矢印は、画像データがバスライン４５を介して転送される場合を示している。
【００８５】
ドラフトモードに設定されたＣＣＤ４１で取得されるライブビュー用の画像データ７１ａは、前述したように、ベイヤー形式で横２５６０×縦２４０の画素を有する。この画像データ７１ａは、ＣＣＤ４１から出力されると、バスライン４５を介して画像処理部５５に入力される。
【００８６】
画像処理部５５に入力された画像データ７１ａは、データ補正部５５１により所定の補正処理が施され、色補間変換部５５２によりＹＣｒＣｂ形式に変換される。さらに、ライブビュー画像生成部５５３により、横３２０×縦２４０の画素を有するＹＹＣｒＣｂ形式の画像データに変換されることにより、ライブビュー画像７１ｂが生成される。そして、生成されたライブビュー画像７１ｂは、バスライン４５を介して転送され、画像メモリ４４のライブビュー画像領域４４ｃに格納される。
【００８７】
上記のようなＣＣＤ４１での画像データ７１ａの取得、及び、画像データ７１ａからライブビュー画像７１ｂを生成する処理は３０ｆｐｓで行われる。すなわち、画像メモリ４４内のライブビュー画像７１ｂは１／３０秒ごとに更新される。
【００８８】
画像メモリ４４内に格納されたライブビュー画像７１ｂは、ビデオコントローラ５６からバスコントローラ５４への要求に基づいて、ビデオコントローラ５６にバスライン４５を介してＤＭＡ転送される。したがって、ライブビュー画像７１ｂはＣＰＵ５１の処理を介さず、上記の画像データ７１ａの取得及びライブビュー画像７１ｂの生成とは無関係に、直接ビデオコントローラ５６に転送される。
【００８９】
ビデオコントローラ５６に転送されたライブビュー画像７１ｂは、各画素の値がＲＧＢ値に変換された後、各色のみの画像が順次にＥＶＦ２２に出力される。このとき、ＥＶＦ２２のフレームレートは、基準フレームレートである９０ｆｐｓになるようにビデオコントローラ５６によって制御される。すなわちビデオコントローラ５６は、ＥＶＦ２２に表示される画像データが１秒間に９０回更新（ただし、面順次表示方式であるため各色のみの画像としては、９０×３＝２７０回の更新）されるように、ディスプレイクロックＤＣの周期Ｔを調節する。なお、この基準フレームレートは、表示デバイスに応じて最適な値に設定すればよい。
【００９０】
ビデオコントローラ５６は、ＥＶＦ２２に１フレーム分の画像データを出力するごとに、次のライブビュー画像７１ｂの転送をバスコントローラ５４へ要求する。したがって、ＥＶＦ２２の基準フレームレートは９０ｆｐｓであるため、ライブビュー画像７１ｂの画像メモリ４４からビデオコントローラ５６への転送も９０ｆｐｓで行われる。
【００９１】
次に、図１３は、「セルフタイマ撮影」及び「リモート撮影」のライブビュー動作（ステップＳＴ３３，ＳＴ４３）における画像データの処理内容を説明するための図である。図１３においても矢印は、処理される画像データが転送される流れを示し、特に太線で示す矢印は、画像データがバスライン４５を介して転送される場合を示している。
【００９２】
「セルフタイマ撮影」や「リモート撮影」においても、通常撮影の場合と同様に、ＣＣＤ４１でライブビュー用の画像データ７１ａが取得され、かつ、画像処理部５５で上述した画像処理が施されて、画像メモリ４４のライブビュー画像領域４４ｃにＹＹＣｒＣｂ形式の画像データ（ライブビュー画像７１ｂ）が格納される。
【００９３】
ＣＣＤ４１での画像データ７１ａの取得、及び、画像データ７１ａからライブビュー画像７１ｂを生成する処理は３０ｆｐｓで行われ、画像メモリ４４内のライブビュー画像７１ｂは１／３０秒ごとに更新される。
【００９４】
画像メモリ４４内に格納されたライブビュー画像７１ｂは、通常撮影の場合と同様に、ビデオコントローラ５６からバスコントローラ５４への要求に基づいて、ビデオコントローラ５６にバスライン４５を介してＤＭＡ転送される。
【００９５】
ビデオコントローラ５６に転送されたライブビュー画像７１ｂは、各画素の値がＲＧＢ値に変換された後、各色のみの画像が順次にＥＶＦ２２に出力される。このとき、ＥＶＦ２２のフレームレートは、基準フレームレートである９０ｆｐｓよりも低く、例えば４５ｆｐｓとなるようにビデオコントローラ５６によって制御される。すなわちビデオコントローラ５６は、ＥＶＦ２２に表示される画像データが１秒間に４５回更新（ただし、面順次表示方式であるため各色のみの画像としては、４５×３＝１３５回の更新）されるように、ディスプレイクロックＤＣの周期Ｔを調節する。
【００９６】
ビデオコントローラ５６は、ＥＶＦ２２に１フレーム分の画像データを出力するごとに、次のライブビュー画像７１ｂの転送をバスコントローラ５４へ要求する。例えば、「セルフタイマ撮影」又は「リモート撮影」におけるＥＶＦ２２のフレームレートが４５ｆｐｓであるとすると、ライブビュー画像７１ｂの画像メモリ４４からビデオコントローラ５６への転送も４５ｆｐｓで行われる。
【００９７】
したがって、「セルフタイマ撮影」又は「リモート撮影」では、ビデオコントローラ５６が画像データの転送を要求する処理、及び、画像メモリ４４からビデオコントローラ５６に対して画像データを転送する処理等が単位時間内に実行される回数を、「通常撮影」の場合よりも少なくすることができる。この結果、「セルフタイマ撮影」又は「リモート撮影」のライブビュー動作において消費されるバッテリ６２の電力量を低減することになる。
【００９８】
このように、デジタルカメラ１において撮影モードの基本動作を上記のように規定することで、特に「セルフタイマ撮影」や「リモート撮影」で被写体の撮影を行う場合にバッテリ６２の消費量を低減することができる。そして、そのとき消費されなかった電力は、次回以降の撮影動作において消費されることになるので、バッテリ６２を装填したデジタルカメラ１を携行する場合の撮影可能枚数を増加させることが可能になる。
【００９９】
＜４．被写体輝度が低い場合の動作＞
上記の撮影モード時における基本動作では、「通常撮影」が設定されている場合において被写体が暗い場合には、ＥＶＦ２２に対してライブビュー表示を行ったとしても、その表示画像が暗く、ユーザがフレーミング等の撮影操作を適切に行うことが困難になる。
【０１００】
そのため、ＣＰＵ５１は画像メモリ４４に格納されるライブビュー画像７１ｂを所定のタイミングで取得して被写体輝度の判定を行い、その判定結果により、被写体が暗いと判断される場合には、ライブビュー用の画像データを取得するためのＣＣＤ４１の露光時間を長くする。これにより、被写体が暗い場合でも、ＣＣＤ４１から得られる画像を明るくすることができる。
【０１０１】
被写体が明るい場合、図１２に示すように、ＣＣＤ４１から３０ｆｐｓで画像データが取得されていると仮定する。これに対して被写体が暗い場合、一の画像データを取得するための露光時間を長くすると、ＣＣＤ４１で得られる画像データの被写体輝度は明るくなる反面、ＣＣＤ４１から画像データが取得されるレートは１５ｆｐｓ程度に低下する可能性がある。
【０１０２】
その場合、ＥＶＦ２２のフレームレートを９０ｆｐｓに設定していたとしても、同一のライブビュー画像７１ｂが繰り返し表示されるだけであり、不必要な画像表示動作が繰り返される回数が増加することになる。そこで、デジタルカメラ１においては、「通常撮影」でライブビュー表示を行う場合でも、ＣＣＤ４１の露光時間が長くなった場合には、ＥＶＦ２２のフレームレートを低下させるように構成される。
【０１０３】
図１４は、ライブビュー用の画像を取得する際の露光時間に応じてフレームレートを設定する場合の通常撮影におけるフローチャートである。
【０１０４】
この通常撮影においては、まず、ＣＣＤ４１がドラフトモードに設定される（ステップＳＴ５０）。そしてデジタルカメラ１は撮影待機状態となり、まずＣＰＵ５１がＣＣＤ４１から取得される画像データについて被写体輝度の判別を行う（ステップＳＴ５１）。そしてＣＰＵ５１は被写体輝度に応じてＣＣＤ４１の露光動作を規定するための露光時間を設定する（ステップＳＴ５２）。具体的には、被写体輝度が所定値よりも小さい場合には、被写体輝度が所定値よりも大きい場合よりも露光時間を長く設定する。
【０１０５】
その後、ＣＰＵ５１はＣＣＤ４１の露光時間に応じてＥＶＦ２２のフレームレートを設定する（ステップＳＴ５３）。例えば、ＣＣＤ４１の露光時間が所定時間よりも短い場合には、ＥＶＦ２２のフレームレートを基準フレームレートとして設定し、ＣＣＤ４１の露光時間が所定時間よりも長い場合には、ＥＶＦ２２のフレームレートを基準フレームレートよりも低いフレームレートに設定する。
【０１０６】
そしてユーザがＥＶＦ２２を介して被写体のリアルタイム画像を視認することができるように、ステップＳＴ５３にて設定されたフレームレートでライブビュー動作が行われる（ステップＳＴ５４）。このライブビュー動作は、シャッタボタン１１が半押し状態（Ｓ１）とされるまで（ステップＳＴ５５においてＹＥＳと判断されるまで）繰り返される。
【０１０７】
撮影待機状態において、シャッタボタン１１が半押し状態にされると（ステップＳＴ５５にてＹＥＳ）、ＣＰＵ５１により露出制御（ＡＥ）及び自動合焦制御（ＡＦ）が行われるとともに、画像処理部５５におけるパラメータが決定される（ステップＳＴ５６）。この状態で、シャッタボタン１１の操作が解除された場合は、再度、撮影待機状態に戻る（ステップＳＴ５７においてＮＯ）。
【０１０８】
一方、シャッタボタン１１が全押し状態（Ｓ２）とされた場合（ステップＳＴ５７にてＹＥＳ）は、ＣＣＤ４１がフレームモードに設定され（ステップＳＴ５８）、続いて、記録用の画像データを取得するための撮影動作が行われる（ステップＳＴ５９）。
【０１０９】
このように、撮影モードの「通常撮影」において、被写体が暗い場合には、ＣＣＤ４１の露光時間を長く設定することにより、ＣＣＤ４１から得られる画像を明るくすることができ、ＥＶＦ２２に対して明るいライブビュー画像７１ｂを表示することが可能になる。そしてその場合に、ＥＶＦ２２のフレームレートを基準フレームレートよりも低下させることで、ＥＶＦ２２に対して同一の画像が繰り返し表示されることを低減することができる。
【０１１０】
その結果、被写体が暗い場合には、ＥＶＦ２２に表示される画像の更新間隔が長くなり、同一のライブビュー画像７１ｂが画像メモリ４４から転送される回数をも低減し、ライブビュー動作（ステップＳＴ５４）におけるバッテリ６２の消費量を低減することができる。そして、そのとき消費されなかった電力は、次回以降の撮影動作において消費されることになるので、バッテリ６２を装填したデジタルカメラ１を携行する場合の撮影可能枚数を増加させることが可能になる。
【０１１１】
＜５．バッテリ検知レベルを変更することによる省電力＞
バッテリ検知回路６３は、バッテリ６２のバッテリ電圧ＶＥを検知することにより、バッテリ６２の残り電力量を検知するように構成される。そしてＣＰＵ５１はこのバッテリ電圧ＶＥを取得し、予め定められたバッテリチェック電圧Ｖｃと比較してバッテリ電圧ＶＥがバッテリチェック電圧Ｖｃよりも低い場合には、デジタルカメラ１において撮影動作やＥＶＦ２２等に対する画像表示動作を禁止する。
【０１１２】
ところで、デジタルカメラ１は上記のように、撮影待機状態において、ＥＶＦ２２のフレームレートが基準フレームレートよりも低く設定された場合、単位時間あたりに消費する電力量は低減されることになる。そのため、撮影待機状態において、ＥＶＦ２２が基準フレームレートで動作している場合には、記録用となる画像データの撮影動作を行うことができない場合でも、ＥＶＦ２２が基準フレームレートよりも低いフレームレートで動作している場合には、記録用となる画像データの撮影動作を行うことが可能になる場合がある。
【０１１３】
また、ＥＶＦ２２が基準フレームレートで動作している場合のバッテリチェック電圧と比較して、ＥＶＦ２２が基準フレームレート以下で動作している場合のバッテリチェック電圧をさらに低く設定してもよい。
【０１１４】
そこで、デジタルカメラ１のＣＰＵ５１は、バッテリ検知回路６３の検知結果に基づく動作として、ＥＶＦ２２を基準フレームレートで動作させる際にバッテリチェック電圧を第１の基準電圧Ｖａに設定し、ＥＶＦ２２を基準フレームレートよりも低いフレームレートで動作させる際にバッテリチェック電圧を第１の基準電圧Ｖａよりも低い第２の基準電圧Ｖｂに設定する。
【０１１５】
まず、バッテリ検知回路６３の検知結果に基づく第１の動作について説明する。図１５はバッテリ検知回路６３の検知結果に基づく第１の動作を示すフローチャートである。
【０１１６】
ＣＰＵ５１は、バッテリチェック電圧Ｖｃを第１の基準電圧Ｖａに設定する（ステップＳＴ６０）。そしてＣＰＵ５１はバッテリ検知回路６３より、バッテリ電圧ＶＥを取得する（ステップＳＴ６１）。ＣＰＵ５１はバッテリ電圧ＶＥをバッテリチェック電圧Ｖｃと比較し、ＶＥ＜Ｖｃ（＝Ｖａ）でない場合にはバッテリチェック電圧ＶｃをＶａで維持し、バッテリチェックを繰り返す（ステップＳＴ６２）。
【０１１７】
そしてＶＥ＜Ｖｃ（＝Ｖａ）となった場合には、省電力状態でデジタルカメラ１を動作させるために、ＥＶＦ２２のフレームレートを低下させる（ステップＳＴ６３）。例えば、ＶＥ＜Ｖｃとなる前の状態でＥＶＦ２２が基準フレームレートで動作していた場合には、ＶＥ＜Ｖｃとなった後の状態ではＥＶＦ２２が基準フレームレートよりも低いフレームレートで動作するように、フレームレートが低く設定される。これにより、省電力状態で、ＥＶＦ２２等に画像表示を行うことができる。
【０１１８】
その後、ＣＰＵ５１はバッテリチェック電圧Ｖｃを第１の基準電圧Ｖａよりも低い第２の基準電圧Ｖｂに設定し、バッテリチェックレベルを低下させる（ステップＳＴ６４）。そしてＣＰＵ５１はバッテリ検知回路６３より、バッテリ電圧ＶＥを取得する（ステップＳＴ６５）。ＣＰＵ５１はバッテリ電圧ＶＥをバッテリチェック電圧Ｖｃと比較し、ＶＥ＜Ｖｃ（＝Ｖｂ）でない場合にはバッテリチェック電圧ＶｃをＶｂで維持し、バッテリチェックを繰り返す（ステップＳＴ６６）。
【０１１９】
ＶＥ＜Ｖｃ（＝Ｖｂ）となった場合には、省電力状態でも、デジタルカメラ１を適切に動作させることが困難になるため、デジタルカメラ１の機能を停止させる（ステップＳＴ６７）。ここではデジタルカメラ１による撮影動作や画像表示動作が禁止され、ユーザに対してバッテリ６２の交換が促される。
【０１２０】
ただし、ＶＥ＜Ｖｃを検知した場合、直ちに機能を停止するのではなく、第１段階としてバッテリ６２の残量が少ないことを示す警告表示を行うようにし、その後さらにバッテリ電圧ＶＥの電圧降下が進んだ場合に第２段階として機能を停止するようにしてもよい。すなわち、ＣＰＵ５１はバッテリ電圧ＶＥを監視することで撮影動作及び画像表示動作に必要な電圧が供給可能であるか否かを判断するように構成され、その判断結果に応じて種々の対処動作を行うように実現することができる。
【０１２１】
このように第１の動作では、デジタルカメラ１においてＥＶＦ２２が基準フレームレートで動作しており、バッテリ６２の電力蓄積量が撮影動作等を行うために十分でなくなってきた場合でも、フレームレートを低下させることで、バッテリチェックレベルを低下させることができ、それによってデジタルカメラ１の動作を継続させるように実現される。したがって、デジタルカメラ１のユーザは、基準フレームレートでライブビュー表示を視認しながら撮影操作を行うことができなくなっても、基準フレームレートよりも低いフレームレートでライブビュー表示を視認しながら撮影操作を行うことができ、デジタルカメラ１における撮影可能枚数を数枚程度増加させることが可能になる。
【０１２２】
図１６は第１の動作を適用した場合のバッテリ電圧の経時的変化を示す図である。図１６に示すように、デジタルカメラ１を携行して使用していると、バッテリ電圧ＶＥは次第に減少してくる。例えば、時刻ｔ１よりも前では、ＥＶＦ２２のフレームレートが基準フレームレートである場合、バッテリ６２に蓄積された電力の減少率は比較的大きい。
【０１２３】
そしてバッテリ電圧ＶＥが第１の基準電圧Ｖａよりも低下すると、ＥＶＦ２２のフレームレートは低く設定され、バッテリチェック電圧Ｖｃは第２の基準電圧Ｖｂに設定される。このとき、バッテリ６２に蓄積された電力の減少率はフレームレートが低下する前と比較して小さくなる。
【０１２４】
この結果、本来なら時刻ｔ１で機能が停止するにもかかわらず、時刻ｔ２までデジタルカメラ１を使用することが可能となり、より多くの画像を撮影することができる。
【０１２５】
次に、バッテリ検知回路６３の検知結果に基づく第２の動作について説明する。図１７はバッテリ検知回路６３の検知結果に基づく第２の動作を示すフローチャートである。
【０１２６】
ＣＰＵ５１は、ＥＶＦ２２の現在のフレームレートを検知し（ステップＳＴ７０）、その検知結果に応じてバッテリチェック電圧Ｖｃを設定する（ステップＳＴ７１）。例えば、ＥＶＦ２２のフレームレートが基準フレームレートである場合には、第１の基準電圧Ｖａをバッテリチェック電圧Ｖｃとして設定し、ＥＶＦ２２のフレームレートが基準フレームレートよりも低いフレームレートである場合には、第１の基準電圧Ｖａよりも低い第２の基準電圧Ｖｂをバッテリチェック電圧Ｖｃとして設定する。
【０１２７】
そしてＣＰＵ５１はバッテリ検知回路６３よりバッテリ電圧ＶＥを取得し（ステップＳＴ７２）、バッテリ電圧ＶＥをバッテリチェック電圧Ｖｃと比較する（ステップＳＴ７３）。その比較の結果、ＶＥ＜Ｖｃ（＝Ｖａ又はＶｂ）でない場合にはステップＳＴ７０に戻って、フレームレートに応じたバッテリチェック電圧の設定、及びバッテリチェックを繰り返す（ステップＳＴ７０〜ＳＴ７３）。
【０１２８】
ＶＥ＜Ｖｃ（＝Ｖａ又はＶｂ）となった場合には、現在のフレームレートでデジタルカメラ１を適切に動作させることが困難になるため、デジタルカメラ１の機能を停止させる（ステップＳＴ７４）。ここでもデジタルカメラ１による撮影動作や画像表示動作が禁止され、ユーザに対してバッテリ６２の交換が促される。また、ここでも、直ちに機能を停止するのではなく、第１段階としてバッテリ６２の残量が少ないことを示す警告表示を行うようにし、その後さらにバッテリ電圧ＶＥの電圧降下が進んだ場合に第２段階として機能を停止するようにしてもよい。
【０１２９】
このように第２の動作では、ＥＶＦ２２のフレームレートに応じてバッテリチェックレベルが変更されるようになっており、デジタルカメラ１においてＥＶＦ２２が基準フレームレートで動作している場合には基準フレームレートに応じたバッテリチェックレベルが設定される。これに対し、ＥＶＦ２２が基準フレームレートよりも低いフレームレートで動作している場合には基準フレームレートにおいて適用されるバッテリチェックレベルよりも低いレベルが設定される。したがって、ＥＶＦ２２に対して設定されるフレームレートに応じてバッテリ６２を有効活用するためのチェックレベルが設定されるようになっている。
【０１３０】
なお、デジタルカメラ１のバッテリチェック機能として、上記第１及び第２の動作のうちいずれを採用してもよく、また、双方の動作を切り替え可能なようにしてもよい。また、上記のバッテリチェック機能は、「撮影モード」等の主たる動作に対するバックグランド処理として実行されることが好ましい。
【０１３１】
そして上記第１及び第２の動作のように、ＥＶＦ２２のフレームレートに応じてバッテリチェックレベルを変更することで、バッテリ６２の有効活用を行うことが可能になる。
【０１３２】
＜６．オートパワーオフ機能による省電力＞
次に、オートパワーオフ機能による省電力について説明する。デジタルカメラ１において省電力モードが有効に設定されている場合に、オートパワーオフ機能が作用する。
【０１３３】
一般的なオートパワーオフ機能では、ユーザによる操作入力が一定時間行われなかった場合にはＥＶＦ等のディスプレイが消灯され、さらに操作入力が一定時間行われなかった場合にはデジタルカメラの電源がオフの状態に遷移する。バッテリの消費を抑制するためには、ディスプレイを消灯するまでの時間を短縮化すればよいが、その場合ユーザはデジタルカメラがどのような状態になっているのかを把握することができず、デジタルカメラの操作性が悪化する。
【０１３４】
そこで、本実施形態のデジタルカメラ１では、省電力モードへ移行するための条件（省電力モード移行条件）が満たされた場合、まず、ＥＶＦ２２等のフレームレートを低下させることで省電力モードへと移行し、その後さらに、電源をオフ状態にするための条件（電源オフ移行条件）が満たされた場合、デジタルカメラ１の電源をオフにすることが行われる。
【０１３５】
図１８は、省電力モード設定時のオートパワーオフ機能に関する動作を示すフローチャートである。なお、この動作も、「撮影モード」等の主たる動作に対するバックグランド処理として実行される。
【０１３６】
オートパワーオフ機能が作動すると、ＣＰＵ５１は内部タイマのカウント値をリセットし（ステップＳＴ８１）、タイマのカウント動作を開始する（ステップＳＴ８２）。そしてＣＰＵ５１はユーザが操作部材１０に対する何らかの操作を行ったか否かを判断し（ステップＳＴ８３）、操作があった場合には、再度タイマをリセットしてカウント動作を開始する（ステップＳＴ８３にてＹＥＳ）。
【０１３７】
ＣＰＵ５１には、省電力モード移行条件として、ＥＶＦ２２等のフレームレートを低下させるための所定時間に関する情報が予め格納されている。そしてユーザによる操作入力がなかった場合（ステップＳＴ８３にてＮＯ）、ＣＰＵ５１はタイマのカウント値（カウント動作開始からの経過時間）が所定時間を経過したか否かを判断する（ステップＳＴ８４）。所定時間を経過していない場合、すなわち省電力モード移行条件を満たしていない場合には、ステップＳＴ８３に戻り、ユーザによる操作入力を待機する状態となる。これに対し、所定時間を経過した場合、すなわち省電力モード移行条件を満たした場合には、ステップＳＴ８４に進み、省電力モードへと移行する。
【０１３８】
ＣＰＵ５１は省電力モードへと移行すると、ＥＶＦ２２のフレームレートを低下させる（ステップＳＴ８５）。これにより、ＥＶＦ２２に画像表示を行うための単位時間あたりのデータ転送量等が削減され、バッテリ６２の電力消費量を低減することが可能になる。
【０１３９】
この状態で、次に、電源オフ移行条件の判別が行われる。ＣＰＵ５１には、電源オフ移行条件として、デジタルカメラ１の電源をオフ状態にするための所定時間に関する情報が予め格納されている。
【０１４０】
そしてＣＰＵ５１はユーザが操作部材１０に対する何らかの操作を行ったか否かを判断し（ステップＳＴ８６）、操作があった場合には、再度タイマをリセットしてカウント動作を開始する（ステップＳＴ８６にてＹＥＳ）。
【０１４１】
一方、そしてユーザによる操作入力がなかった場合（ステップＳＴ８６にてＮＯ）、ＣＰＵ５１はタイマのカウント値（カウント動作開始からの経過時間）が所定時間を経過したか否かを判断する（ステップＳＴ８７）。所定時間を経過していない場合、すなわち電源オフ移行条件を満たしていない場合には、ステップＳＴ８６に戻り、ユーザによる操作入力を待機する状態となる。これに対し、所定時間を経過した場合、すなわち電源オフ移行条件を満たした場合には、ステップＳＴ８８に進み、デジタルカメラ１の電源をオフ状態に遷移させる。
【０１４２】
このようにデジタルカメラ１のオートパワーオフ機能においては、ユーザが最後の操作入力を行ってから所定時間が経過した場合に、ＥＶＦ２２等のフレームレートを低下させて節電状態へと移行し、その後さらに所定時間が経過した場合に、デジタルカメラ１の電源をオフにすることが行われる。このため、省電力モード時には、ディスプレイがいきなり消灯されることはなく、省電力を維持しつつも、ユーザに対してデジタルカメラ１の状態を掲示し続けることができ、デジタルカメラ１の操作性が向上する。このため、バッテリ６２の有効活用を図りつつも、操作性の高いデジタルカメラが実現されることになる。
【０１４３】
＜７．白黒表示による省電力＞
次に、カラー画像を表示可能なＥＶＦ２２等に対して白黒表示を行うことにより、省電力を行う技術について説明する。上記説明においては、ＥＶＦ２２等のフレームレートを低下させることによって節電を行う技術について説明したが、ここではフレームレートは変更せずに、画像メモリ４４からＥＶＦ２２に転送する画像データのデータ量を低減させることで、デジタルカメラの負荷を軽減し、それによって節電を行う技術について説明する。
【０１４４】
ＣＰＵ５１はデジタルカメラ１の負荷を判定するように構成される。例えば、撮影モードにおいて、単写撮影が行われる場合と連写撮影が行われる場合とでは、単位時間におけるデジタルカメラ１の処理負担は相違し、連写撮影の場合が大きくなる。このため、ＣＰＵ５１は、単写撮影時においてデジタルカメラ１の内部処理に発生する負荷を基準負荷とし、定期的にデジタルカメラ１の負荷が基準負荷よりも大きいか否かを判定する。
【０１４５】
この結果、デジタルカメラの負荷が単写撮影時における基準負荷よりも大きいと判定された場合、ＣＰＵ５１は、ＥＶＦ２２等に対して白黒画像を表示させるための画像データを与えるように制御する。
【０１４６】
図１２に示したように、ライブビュー表示において画像メモリ４４にはＹＹＣｒＣｂ形式の画像データが格納される。ＣＰＵ５１が白黒表示を指示すると、バスコントローラ５４は、画像メモリ４４に格納されたライブビュー画像７１ｂをビデオコントローラ５６にＤＭＡ転送する際、ＹＹＣｒＣｂの各データのうち、ＹＹ成分（２つの輝度成分値）のみを転送する。この結果、通常一画素あたり２バイトのデータ転送量が、白黒表示の際には一画素あたり１バイトのデータ転送量で画像データを転送することが可能になる。
【０１４７】
そしてビデオコントローラ５６はＹＹ成分の値からＥＶＦ２２に白黒表示を行うための画像信号を生成して所定のフレームレートで画像表示を行うように構成される。
【０１４８】
このようにカラー画像を表示可能なＥＶＦ２２に対して白黒表示を行うための画像データを転送するように構成することで、バスライン４５のデータ転送負荷やビデオコントローラ５６でのデータ処理負担が軽減し、バッテリ６２の消費電力を低減することが可能になる。すなわち、フレームレートを低下させずとも、画像メモリ４４からビデオコントローラ５６に転送する画像データのデータ量を低減することでも、バッテリ６２の有効活用を行うことができるのである。
【０１４９】
なお、ここに説明したように、ＥＶＦ２２に対して白黒表示を行うためのデータ転送を行うとともに、既述したＥＶＦ２２のフレームレートを低下させる技術をも適用すれば、さらなる節電効果を得ることができ、バッテリ６２の有効活用が図られる。
【０１５０】
＜８．変形例＞
以上、この発明の実施の形態について説明したが、この発明は上記説明した内容のものに限定されるものではない。
【０１５１】
例えば、上記説明では、様々な場合においてＥＶＦ２２等のフレームレートを低下させる技術について説明したが、ＥＶＦ２２等のフレームレートを低下させることは、デジタルカメラ１の操作性に大きな影響を与えることのない状況、すなわち、デジタルカメラ１の動作状態が、ユーザがライブビュー表示される被写体のリアルタイム画像を視認しつつ被写体の撮影操作を行う動作状態でなければ、どのようなタイミングで行われてもよい。
【０１５２】
具体例を示すと、デジタルカメラ１がセットアップモード時の案内画面表示等をＥＶＦ２２等に表示させる場合にフレームレートは低くても構わない。また、通信モード時においてもＥＶＦ２２等の画面に動画像が表示される状態ではないので、フレームレートは低くても構わない。さらに、再生モード時において静止画像を再生する場合にもフレームレートは低くても構わない。したがって、これらの場合においても、ＥＶＦ２２等のフレームレートを基準フレームレートよりも低くすることで、バッテリ６２の有効活用を図ることができるとともに、操作性を悪化させることもない。
【０１５３】
また、上記説明においては、ＥＶＦ２２等のフレームレートを低下させることによって画像の更新間隔を長くすることを例示したが、例えばフレームレートは一定のままで画像処理部５５においてライブビュー画像７１ｂを生成する間隔を長くすることにより、画像の更新間隔を長くするようにしてもよい。
【０１５４】
また、上記説明においては、デジタルカメラ１に設けられたＥＶＦ２２やＬＣＤ２３等の表示装置に対して画像を表示する際の更新間隔の変更について説明したが、上記内容はフレームレートを変更可能な表示手段に対して画像を表示する際に適用することができる。このため、外部モニタ６１として、例えばパソコン用のディスプレイが接続されており、そのディスプレイに対して画像を表示する場合にも適用することが可能である。
【０１５５】
また、上記においては、バッテリ６２の電力消費量を低減させるために、フレームレートを低下させることを述べたが、本実施形態のようにＥＶＦ２２やＬＣＤ２３等の表示装置が面順次表示式を採用する場合、フレームレートを極端に低下させると、画面にちらつきが生じることが予想されるので、それを防止するためにフレームレートを低下させる場合の下限値を設定しておくことが好ましい。ただし、表示装置が面順次表示方式でない場合、その必要性は低い。
【０１５６】
なお、上述した内容には、以下の発明概念も含まれる。
【０１５７】
（１）カラー画像を表示可能な表示装置に対して被写体のリアルタイム画像を表示させつつ、被写体の撮影動作を行うことができるように構成されたデジタルカメラであって、前記デジタルカメラの負荷を判定する判定手段と、前記判定手段において前記デジタルカメラの負荷が通常動作における基準負荷よりも大きいと判定された場合は、前記表示装置に対して白黒画像を表示させるための画像信号を前記表示装置に与える表示制御手段と、を備えるデジタルカメラ。
【０１５８】
この発明概念により、デジタルカメラの負荷が基準負荷よりも大きくなった場合に、デジタルカメラの負荷を低減することができ、かつ消費される電力を低減することもできる。
【０１５９】
（２）請求項１に記載のデジタルカメラにおいて、前記判断手段が前記撮影動作及び前記画像表示動作に必要な電圧が供給されないと判断した場合に、前記撮影動作及び前記画像表示動作を禁止する動作禁止手段、をさらに備えるデジタルカメラ。
【０１６０】
この発明概念により、表示画像の更新間隔が長い場合、バッテリの供給電圧が第２の閾値よりも低下するまで動作を継続することができるので、バッテリを有効に活用することができ、デジタルカメラによる撮影可能枚数を増加させることができる。
【０１６１】
【発明の効果】
以上説明したように、請求項１に記載の発明によれば、表示画像の更新間隔が第２の更新間隔に設定された場合、バッテリに蓄積される電力量が、第１の閾値より小さな第２の閾値よりも低下したときに撮影動作及び画像表示動作に必要な電圧が供給されないと判断するように構成されるため、表示画像の更新間隔が長い場合にはバッテリを有効に活用することができ、デジタルカメラによる撮影可能枚数を増加させることができる。
【０１６２】
請求項２に記載の発明によれば、デジタルカメラの動作状態が、ユーザが表示装置に表示される被写体のリアルタイム画像を視認しつつ被写体の撮影操作を行うための動作状態でない場合には、表示装置における表示画像の更新間隔を長く設定するように構成されるため、デジタルカメラの操作性を低下させることなく、バッテリを有効に活用することができ、デジタルカメラによる撮影可能枚数を増加させることができる。
【０１６３】
請求項３に記載の発明によれば、省電力モード移行条件が満たされた場合、表示装置における表示画像の更新間隔を、省電力モードへの移行前の更新間隔よりも長く設定するように構成されるため、省電力を行いつつも、ユーザに対してデジタルカメラがどのような状態であるかを認識させることができる。また、省電力モードへの移行により、バッテリを有効に活用することができ、デジタルカメラによる撮影可能枚数を増加させることができる。
【０１６４】
請求項４に記載の発明によれば、表示装置のフレームレートを変更することによって、表示装置における表示画像の更新間隔を変更するように構成されるため、画像表示動作を行う回数が低減され、単位時間あたりのバッテリ消費量を低減することができる。
【０１６５】
請求項５に記載の発明によれば、表示装置に表示すべきリアルタイム画像を取得する際の露光時間が所定時間よりも長くなる場合には、その露光時間が所定時間よりも短い場合に比べて、表示装置のフレームレートを低下させるように構成されるため、同一の画像を表示するための画像表示動作が繰り返し行われることを低減し、単位時間あたりのバッテリ消費量を低減することができる。その結果、バッテリを有効活用することができ、デジタルカメラによる撮影可能枚数を増加させることができる。
【図面の簡単な説明】
【図１】デジタルカメラの要部構成を示す正面図である。
【図２】デジタルカメラの要部構成を示す上面図である。
【図３】デジタルカメラの要部構成を示す背面図である。
【図４】デジタルカメラの主たる内部構成を示すブロック図である。
【図５】画像処理部で実現される機能をそれぞれ機能ブロックとして示す図である。
【図６】ビデオコントローラがＥＶＦに画像データを出力する際に送信する信号の例を示す図である。
【図７】画像メモリに確保される領域を模式的に示す図である。
【図８】デジタルカメラの撮影モードにおける基本的な動作の流れを示すフローチャートである。
【図９】撮影モードの通常撮影における基本的な動作の流れを示すフローチャートである。
【図１０】撮影モードのセルフタイマ撮影における基本的な動作の流れを示すフローチャートである。
【図１１】撮影モードのリモート撮影における基本的な動作の流れを示すフローチャートである。
【図１２】通常撮影のライブビュー動作における画像データの処理内容を説明するための図である。
【図１３】セルフタイマ撮影及びリモート撮影のライブビュー動作における画像データの処理内容を説明するための図である。
【図１４】露光時間に応じてフレームレートを設定する場合の通常撮影におけるフローチャートである。
【図１５】バッテリ検知回路の検知結果に基づく第１の動作を示すフローチャートである。
【図１６】図１５に示す第１の動作を適用した場合のバッテリ電圧の経時的変化を示す図である。
【図１７】バッテリ検知回路の検知結果に基づく第２の動作を示すフローチャートである。
【図１８】省電力モード設定時のオートパワーオフ機能に関する動作を示すフローチャートである。
【符号の説明】
１　デジタルカメラ
２２　電子ビューファインダ（ＥＶＦ：表示装置）
２３　液晶ディスプレイ（ＬＣＤ：表示装置）
４１　ＣＣＤ（撮像手段）
４４　画像メモリ
５０　全体制御部
５１　ＣＰＵ（判断手段，動作禁止手段，判定手段，露光時間設定手段）
５６　ビデオコントローラ（画像更新間隔変更手段，フレームレート変更手段）
６２　バッテリ
６３　バッテリ検知回路
【図１】
2004015595.tif 000003
【図２】
2004015595.tif 000004
【図３】
2004015595.tif 000005
【図４】
2004015595.tif 000006
【図５】
2004015595.tif 000007
【図６】
2004015595.tif 000008
【図７】
2004015595.tif 000009
【図８】
2004015595.tif 000010
【図９】
2004015595.tif 000011
【図１０】
2004015595.tif 000012
【図１１】
2004015595.tif 000013
【図１２】
2004015595.tif 000014
【図１３】
2004015595.tif 000015
【図１４】
2004015595.tif 000016
【図１５】
2004015595.tif 000017
【図１６】
2004015595.tif 000018
【図１７】
2004015595.tif 000019
【図１８】
2004015595.tif 000020